(57)【要約】【課題】遊技球に帯電した静電気を除去する構成を補強部材とは別個に備える必要がなく、遊技球の静電気を除去可能でありながら、構成部品数が多くなることを抑制することができる遊技機を提供する。【解決手段】前面枠と、該前面枠の裏面側に開閉可能な状態で軸着された裏機構盤３２とを備えたパチンコ遊技機において、裏機構盤３２は、タンク装着部９５を含んで形成された機構ベース部９０と、タンク装着部９５の裏面側に装着され、遊技球を貯留可能な球貯留タンク９１とを備え、タンク装着部９５と球貯留タンク９１との間には、タンク装着部９５を補強する補強部材１２２を配置し、該補強部材１２２を導電性部材で構成し、球貯留タンク９１には、補強部材１２２の一部を臨ませる開口部１２８を開設し、該開口部１２８を介して球貯留タンク９１内の遊技球を補強部材１２２へ当接可能とした。【選択図】図７
2008278988.tif 000002
【特許請求の範囲】
【請求項１】
前面枠と、該前面枠の裏面側に開閉可能な状態で軸着された裏機構盤と、を備えた遊技機において、
前記裏機構盤は、タンク装着部を含んで形成された機構ベース部と、タンク装着部の裏面側に装着され、遊技球を貯留可能な球貯留タンクと、を備え、
前記タンク装着部と球貯留タンクとの間には、タンク装着部を補強する補強部材を配置し、該補強部材を導電性部材で構成し、
前記球貯留タンクには、補強部材の一部を臨ませる開口部を開設し、該開口部を介して球貯留タンク内の遊技球を補強部材へ当接可能としたことを特徴とする遊技機。
【請求項２】
前記補強部材のうち開口部に臨む箇所に突出部を球貯留タンクの内部へ向けて突設し、該突出部の上縁部をタンク装着部へ向けて延設し、
前記突出部の上縁部に開口部の上縁部を摺動してタンク装着部に球貯留タンクを装着可能としたことを特徴とする請求項１に記載の遊技機。
【請求項３】
前記突出部の上縁部に開口部の上縁部を載置可能とし、
前記機構ベース部のうち補強部材の突出部の下方には、裏機構盤を前面枠に対して開閉可能とする機構盤ヒンジ部を備え、該機構盤ヒンジ部と補強部材の突出部とを連結し、機構盤ヒンジ部により突出部を支持可能としたことを特徴とする請求項２に記載の遊技機。
【発明の詳細な説明】
【技術分野】
【０００１】
本発明は、前面枠と、該前面枠の裏面側に開閉可能な状態で軸着された裏機構盤とを備えたパチンコ遊技機等の遊技機に関する。
【背景技術】
【０００２】
従来の遊技機、例えば、パチンコ遊技機においては、前面枠の上部に球貯留タンクを備え、該球貯留タンクに島設備から供給された遊技球を貯留し、遊技の進行に伴って球貯留タンク内の遊技球を流下してパチンコ遊技機の前面側（具体的には球貯留皿）へ供給するように構成されている。そして、球貯留タンクには、導電性を有するアース部材を設け、アース部材と遊技球とを導通させて遊技球に帯電した静電気を除去できるように構成したものが提案されている（例えば、特許文献１参照）。このアース部材を設けたパチンコ遊技機では、パチンコ遊技機内の電子機器、例えば遊技制御装置や排出制御装置等の近傍に遊技球を流下させるように構成したとしても、電子機器が静電気により誤作動する不具合を抑制することができる。
【特許文献１】特開２００３−１６９９４４号公報
【発明の開示】
【発明が解決しようとする課題】
【０００３】
ところで、近年では、遊技盤をパチンコ遊技機の後部寄りに配置して遊技者に対する印象を従来のものとは異ならせて、遊技の興趣を高めようとする試みがなされている。このため、既に備えられている構成要素、例えば球貯留タンクを小型化あるいは薄型化して遊技盤の配設場所を確保する必要がある。また、小型化あるいは薄型化した球貯留タンクにおいては、金属板等の補強部材を装着して球貯留タンクの強度の低下を防ぐ必要がある。しかしながら、遊技球の静電気を除去する機能をも備えようとすると、球貯留タンクを構成する部品点数が増えてしまい、好ましくない。
【０００４】
本発明は、上記の事情に鑑みてなされたものであり、その目的は、遊技球に帯電した静電気を除去する構成を補強部材とは別個に備える必要がなく、遊技球の静電気を除去可能でありながら、構成部品数が多くなることを抑制することができる遊技機を提供しようとするものである。
【課題を解決するための手段】
【０００５】
本発明は、上記目的を達成するために提案されたものであり、請求項１に記載のものは、前面枠と、該前面枠の裏面側に開閉可能な状態で軸着された裏機構盤と、を備えた遊技機において、
前記裏機構盤は、タンク装着部を含んで形成された機構ベース部と、タンク装着部の裏面側に装着され、遊技球を貯留可能な球貯留タンクと、を備え、
前記タンク装着部と球貯留タンクとの間には、タンク装着部を補強する補強部材を配置し、該補強部材を導電性部材で構成し、
前記球貯留タンクには、補強部材の一部を臨ませる開口部を開設し、該開口部を介して球貯留タンク内の遊技球を補強部材へ当接可能としたことを特徴とする遊技機である。
【０００６】
請求項２に記載のものは、前記補強部材のうち開口部に臨む箇所に突出部を球貯留タンクの内部へ向けて突設し、該突出部の上縁部をタンク装着部へ向けて延設し、
前記突出部の上縁部に開口部の上縁部を摺動してタンク装着部に球貯留タンクを装着可能としたことを特徴とする請求項１に記載の遊技機である。
【０００７】
請求項３に記載のものは、前記突出部の上縁部に開口部の上縁部を載置可能とし、
前記機構ベース部のうち補強部材の突出部の下方には、裏機構盤を前面枠に対して開閉可能とする機構盤ヒンジ部を備え、該機構盤ヒンジ部と補強部材の突出部とを連結し、機構盤ヒンジ部により突出部を支持可能としたことを特徴とする請求項２に記載の遊技機である。
【発明の効果】
【０００８】
本発明によれば、以下のような優れた効果を奏する。
請求項１に記載の発明によれば、前面枠と、該前面枠の裏面側に開閉可能な状態で軸着された裏機構盤とを備えた遊技機において、裏機構盤は、タンク装着部を含んで形成された機構ベース部と、タンク装着部の裏面側に装着され、遊技球を貯留可能な球貯留タンクとを備え、タンク装着部と球貯留タンクとの間には、タンク装着部を補強する補強部材を配置し、該補強部材を導電性部材で構成し、球貯留タンクには、補強部材の一部を臨ませる開口部を開設し、該開口部を介して球貯留タンク内の遊技球を補強部材へ当接可能としたので、球貯留タンク内の遊技球に帯電した静電気を、補強部材を通して除去することができる。したがって、遊技球に帯電した静電気を除去する構成を補強部材とは別個に備える必要がなく、遊技球の静電気を除去可能な遊技機の構成部品数が多くなることを抑制することができる。
【０００９】
請求項２に記載の発明によれば、補強部材のうち開口部に臨む箇所に突出部を球貯留タンクの内部へ向けて突設し、該突出部の上縁部をタンク装着部へ向けて延設し、突出部の上縁部に開口部の上縁部を摺動してタンク装着部に球貯留タンクを装着可能としたので、球貯留タンクをタンク装着部へ装着するガイドとして補強部材の一部を利用することができる。
【００１０】
請求項３に記載の発明によれば、突出部の上縁部に開口部の上縁部を載置可能とし、機構ベース部のうち補強部材の突出部の下方には、裏機構盤を前面枠に対して開閉可能とする機構盤ヒンジ部を備え、該機構盤ヒンジ部と補強部材の突出部とを連結し、機構盤ヒンジ部により突出部を支持可能としたので、球貯留タンクに貯留された遊技球の重量を、突出部および補強部材を介して機構盤ヒンジ部で支持することができる。
【発明を実施するための最良の形態】
【００１１】
以下、代表的な遊技機であるパチンコ遊技機を例に挙げて本発明の実施の最良の形態を図面に基づき説明する。図１はパチンコ遊技機の斜視図、図２は前面側を開放した状態のパチンコ遊技機の斜視図、図３は遊技領域を露出した状態のパチンコ遊技機の斜視図である。
パチンコ遊技機１は、図１から図３に示すように、外枠（機枠あるいは本体枠）２の側部（図１中、左側部）に前面枠３を開閉可能に軸着し、この前面枠３のベースとなる略額縁状の前面枠本体４（すなわち前面枠３側）の上部に矩形状の遊技盤５を収納可能とし、該遊技盤５の表面（前面）に遊技領域６を区画形成し、遊技盤５の下方には画像表示装置８を配置（収納）している。また、前面枠本体４の前面側には、遊技領域６を前方から被覆可能な内側開閉枠９を上下方向へ開閉可能な状態で軸着するとともに、該内側開閉枠９および画像表示装置８を前方から被覆可能な外側開閉枠１０を左右方向へ開閉可能な状態で軸着し、外側開閉枠１０の下部には、遊技球を貯留可能な球貯留ユニット１３を備えている。さらに、外側開閉枠１０の下方には棚部１５を前面枠本体４の下部から前方へ突設し，該棚部１５の上面を左右方向の中央部が下方へ凹んだ曲面で形成し、この凹み部に外側開閉枠１０の球貯留ユニット１３を収容するように構成されている。そして、棚部１５の前面の一側（図１中、右側）には、発射装置１６（図５参照）を操作するための発射操作ユニット（発射操作ハンドル）１７を備え、他側（図１中、左側）には遊技演出用ボタン１８を備えている。
【００１２】
前面枠本体４は、大きな矩形状の開口を上寄りに開設した合成樹脂製枠体であり、図２から図５に示すように、開口の上半部分に、遊技盤５と略同じ広さの空間部に設定された遊技盤収納部２２を備え、該遊技盤収納部２２内に遊技盤５を前面枠本体４の裏面側から収納可能とし、遊技盤収納部２２の下部には、遊技盤５の下縁部を載置可能な載置部２３を設けている。さらに、図５に示すように、遊技盤収納部２２の外周部のうち前面枠３の軸着部側（図５中、右側）には、後方から見て逆Ｌ字状の収納壁２４を後方へ延設し、該収納壁２４の下端を載置部２３の側方に配置し、収納壁２４により遊技盤収納部２２内の遊技盤５の縁部、具体的には前面枠３の軸着部寄り（右寄り）に位置する上縁部および側縁部を外方から被覆（あるいは当接）できるように構成されている。そして、遊技盤収納部２２の収納壁２４側（図５中、右側）の上下両隅部には、三角形状の位置規制部２５を設け、該位置規制部２５の裏面に遊技盤５の隅部の表面を当接可能としている。さらに、収納壁２４の上下両側には、遊技盤５の裏面に係止可能な係止部材２６を軸着し、該係止部材２６を回動して縦向き姿勢に変換すると、遊技盤５の裏面に係止して遊技盤５を遊技盤収納部２２内に維持可能とし、横向き姿勢に変換すると、遊技盤５の裏面から外れて遊技盤５を遊技盤収納部２２に対して着脱できるように構成されている。
【００１３】
また、前面枠本体４の開口の下半部分であって遊技盤５の下方には表示装置配置部２７を備え、該表示装置配置部２７に画像表示装置８を配置している。さらに、表示装置配置部２７と棚部１５との間の一側寄り（図２中、左寄り）には、遊技球が１個ずつ通過可能な球送り開口２８を開設し、該球送り開口２８の後方には、球貯留ユニット１３に貯留された遊技球を遊技領域６へ向けて発射可能な発射装置１６を配置している。そして、発射装置１６と球送り開口２８とを球送り流路（図示せず）で連通し、球貯留ユニット１３から球送り開口２８に流下してきた遊技球が球送り流路を通過して発射装置１６へ到達するように構成されている。また、表示装置配置部２７と棚部１５との間の他側寄り（図２中、右寄り）には球排出口３０を開設している。
【００１４】
そして、図５に示すように、前面枠本体４の裏面の側部、詳しくは遊技盤収納部２２を挟んで収納壁２４とは反対側（図５中、左側）には、前方から見て逆Ｌ字状を呈した裏機構盤３２を前面枠本体４に対して前後方向へ開閉可能な状態で軸着し、裏機構盤３２よりも収納壁２４寄り（図５中、右寄り）の位置には、裏機構盤３２を前面枠本体４に対して閉じた状態に維持可能な動作規制機構３４を備えている。また、裏機構盤３２の下方には縦長な賞球排出路３６および球抜き排出路３７を備え、賞球排出路３６の下端を球排出口３０へ連通し、裏機構盤３２内を賞球として流下してきた遊技球が賞球排出路３６および球排出口３０を通って前面枠３の表側、具体的には外側開閉枠１０の球貯留ユニット１３へ排出できるように構成されている。さらに、球抜き排出路３７の下端をパチンコ遊技機１の外部（例えば、島設備の球回収樋）へ連通し、メンテナンス時などにおいて裏機構盤３２から抜き出された遊技球が球抜き排出路３７を通ってパチンコ遊技機１の外方へ回収できるように構成されている。そして、前面枠本体４の裏面側の下部には排出発射制御装置３９、電源供給装置４０等を設けている。なお、裏機構盤３２については、後で詳細に説明する。
【００１５】
遊技盤５は、図３に示すように、当該遊技盤５の表面（前面）に領域区画部材４３を止着して略半円形状の遊技領域６を区画形成し、遊技領域６の側方（図３中、左側方）には、発射装置１６から発射された遊技球を遊技領域６内へ案内するための円弧状の発射流路４４を形成している。そして、遊技領域６の中央部よりも下寄りの位置には、画像表示装置８で実行される変動表示ゲームを始動するための始動入賞口４５や、変動表示ゲームの大当たり時に遊技球が入賞可能となる大入賞口４６等を配置し、遊技領域６の下端部には、入賞せずに遊技領域６を流下してきた遊技球（アウト球）を遊技領域６の外方へ排出するためのアウト口４７を開設している。
【００１６】
また、遊技盤５の裏面側には、図４および図５に示すように、遊技盤５よりもひと回り小さい略矩形状の球寄せベース５１を装着し、該球寄せベース５１の裏側には遊技制御装置（図示せず）および装飾制御装置５２を装着している。さらに、球寄せベース５１内には、始動入賞口４５や大入賞口４６等に入賞した遊技球（セーフ球）やアウト口４７を通過した遊技球（アウト球）を回収するための球寄せ流路５３を形成している。そして、球寄せベース５１の下端部に球寄せ流路５３の下流開口を開設し、該下流開口を表示装置配置部２７の後方に設けた球回収流路５５へ連通し、球寄せ流路５３および球回収流路５５を介して遊技球をパチンコ遊技機１の外部へ流下できるように構成されている。
【００１７】
画像表示装置８は、図２および図４に示すように、液晶表示器からなる表示部５７と、該表示部５７の後方に配置された表示制御装置５８と、表示部５７の左右両側方に配置され、遊技の進行に伴って音を発生して演出を行うスピーカー５９とを備えて構成されている。そして、表示部５７を前方へ下り傾斜した状態で配置するとともに、表示部５７の傾斜上端を遊技領域６（言い換えると遊技盤５と内側開閉枠９との間の空間）の下端部に隣接する状態、具体的には、遊技領域６内に配置された始動入賞口４５や遊技領域６を流下する遊技球の直下に配置している。なお、表示部５７では、遊技盤５で実行される遊技に関わる画像、例えば始動入賞口４５への入賞に基づいて実行される変動表示ゲームの画像を表示するように設定されている。
【００１８】
次に、内側開閉枠９および外側開閉枠１０について説明する。
内側開閉枠９は、図３および図４に示すように、遊技盤５（または遊技盤収納部２２）よりも僅かに小さい略蒲鉾形状の内側保持フレーム６１を備え、該内側保持フレーム６１の内側には、遊技領域６よりもひと回り大きなガラス板または透明樹脂板で形成された内側透明部材６２を保持し、該内側透明部材６２により遊技領域６を透視可能な状態で遊技盤５を前方から被覆できるように構成されている。そして、閉状態となる縦向き姿勢（図２参照）において下部となる内側保持フレーム６１の縁部（すなわち内側開閉枠９の下部）には、横長な内側ヒンジ機構６３を配置し、該内側ヒンジ機構６３を介して当該内側開閉枠９を前面枠本体４、具体的には載置部２３の前縁部へ軸着し、内側開閉枠９の開閉中心となる内側回動軸ＬＡを遊技盤５と画像表示装置８の間に配置している。
【００１９】
したがって、内側開閉枠９のうち内側透明部材６２を挟んで内側ヒンジ機構６３とは反対側となる端部（図２中、上端部）を内側自由端部９ａとし、該内側自由端部９ａを上下方向へ移動可能としている。さらに、前面枠本体４（前面枠３）に対して横向きの内側回動軸ＬＡを中心にして縦方向（上下方向）へ開閉するように構成されている。具体的には、内側自由端部９ａを遊技盤５の上部の前方に配置して閉状態へ変換し（図２参照）、内側自由端部９ａを下方へ移動して内側ヒンジ機構６３（内側回動軸ＬＡ）よりも前方、言い換えると内側開閉枠９の下端部よりも前方へ配置（移動）して開状態へ変換する（図３および図４参照）。
【００２０】
そして、内側開閉枠９の開状態においては、後方の遊技盤５、詳しくは遊技領域６のアウト口４７へ向けて下り傾斜した姿勢となる。したがって、開放状態の内側開閉枠９が表示部５７を上方から保護する庇部として機能することができる。この結果、メンテナンス作業などにおいて内側開閉枠９を開放して遊技領域６を露出したとしても、遊技領域６からこぼれ落ちた遊技球が表示部５７に衝突することを防ぐことができ、画像表示装置８が損傷する不都合を抑えることができる。さらに、内側透明部材６２のうち遊技領域６に対向し得る裏面が遊技領域６の下部から前方へ延出した姿勢に設定され、遊技球をアウト口４７へ誘導可能な球誘導部６４として機能し、開放状態の内側開閉枠９の上に落下した遊技球をアウト口４７へ回収することができる。このことから、遊技領域６からこぼれ落ちた遊技球が散乱する不都合をなくすことができる。
【００２１】
外側開閉枠１０は、開閉枠本体６７と、該開閉枠本体６７に保持された外側透明部材６８と、開閉枠本体６７の下縁部に配置された球貯留ユニット１３とを備えて構成されており、当該外側開閉枠１０の側部（図１中、左側部）を前面枠本体４の一側（図１中、左側）へ軸着している。開閉枠本体６７は、前面枠本体４と略同じ横幅で形成された枠体であり、左右両側部および上部を前方へ膨出し、開閉枠本体６７の中央部には縦向き長円形の開閉枠開口６９を大きく開設し、該開閉枠開口６９の上縁部を内側開閉枠９の上縁部と略同じ大きさの半円形状に設定している。
【００２２】
外側透明部材６８は、開閉枠開口６９を塞ぐ状態で開閉枠本体６７に保持された透明樹脂製の部材であり、内側透明部材６２を介して遊技領域６を透視可能な状態で内側開閉枠９を前方から被覆できるように構成されている。そして、外側透明部材６８の側方および上方には光拡散レンズ７１を外側透明部材６８の外縁部から前後方向（詳しくは前方）へ延在する状態で備え、光拡散レンズ７１の前縁部を開閉枠開口６９の開口縁へ後方から接続して開閉枠開口６９を後方から閉塞している。さらに、外側透明部材６８の下半部分を前方へ大きく突出し、該下側突出部７２の上面を前方へ下り傾斜した状態、言い換えると遊技者の顔へ対向する状態に形成し、下側突出部７２の左右両側には、スピーカー５９の発生音を前方へ透過させるための透音孔７３を開設している。また、開閉枠本体６７の側部（図１中、左側部）には縦長な外側ヒンジ機構７５を配置し、該外側ヒンジ機構７５を介して外側開閉枠１０を前面枠本体４の一側（図２中、左側）へ軸着している。
【００２３】
したがって、外側開閉枠１０のうち外側透明部材６８を挟んで外側ヒンジ機構７５とは反対側となる側端部（図１中、右端部）を外側自由端部１０ａとし、該外側自由端部１０ａを左右方向へ移動可能とし、前面枠本体４（前面枠３）に対して一側（左側）に配置した縦向きの外側回動軸ＬＢ、すなわち内側回動軸ＬＡとは異なる外側回動軸ＬＢを中心にして横方向（左右方向）、言い換えると内側開閉枠９とは異なる回動方向へ回動して開閉するように構成されている。具体的には、外側自由端部１０ａを前面枠本体４の他側（図２中、右側）に当接して閉状態へ変換し（図１参照）、外側自由端部１０ａを前面枠本体４から離して外側ヒンジ機構７５（外側回動軸ＬＢ）よりも前方に配置して開状態へ変換する（図２参照）。
【００２４】
球貯留ユニット１３は、図１に示すように、前方へ膨出した球貯留皿８０を備え、該球貯留皿８０の内部を下方へ凹ませて球貯留空間部８１を形成し、該球貯留空間部８１の後部には、球排出口３０に連通可能な排出連通口８２を開設している。さらに、球貯留皿８０の後部には、球貯留空間部８１から下り傾斜した球整列路８３を設け、該球整列路８３の下流部を上流部よりも絞り込んで遊技球が１個ずつ流下可能な流路幅に設定し、球整列路８３内の遊技球を横一列に整列しながら流下させるように構成されている。また、球整列路８３の下流端には、後方へ下り傾斜する球導出路８４を連通し（図２参照）、該球導出路８４の後端部を外側開閉枠１０の後面側に開放している。そして、外側開閉枠１０を閉じると、球導出路８４の後端部と球送り開口２８とを前後に重ねる状態で連通し、球導出路８４、球送り開口２８および球送り流路を介して、球貯留皿８０内の遊技球を発射装置１６へ供給することができるように構成されている。
【００２５】
次に、前面枠本体４の裏面側に設けられた裏機構盤３２について説明する。
裏機構盤３２は、図６に示すように、当該裏機構盤３２の基部となる機構ベース部９０と、パチンコ遊技機１の外部（具体的にはパチンコ遊技機１が設置される島設備）から供給された遊技球を貯留する球貯留タンク９１と、該球貯留タンク９１内の遊技球を下方へ流下する流下案内路９２と、該流下案内路９２を流下してきた遊技球を排出する球排出装置９３とを備えて構成されている。
【００２６】
機構ベース部９０は、前方から見て逆Ｌ字状を呈する樹脂製の部材であり、図６および図８に示すように、当該機構ベース部９０の上部に横長な板状のタンク装着部９５を備え、該タンク装着部９５を遊技盤収納部２２の横幅よりも短い長さに設定している。また、機構ベース部９０の下部には縦長な流路装着部９６を備え、該流路装着部９６をタンク装着部９５の側部（図６（ａ）中、左側）から下方へ延設し、流路装着部９６の下端を載置部２３の側方に配置している。そして、タンク装着部９５のうち流路装着部９６寄りの下縁部には、球貯留タンク９１を載置可能なタンク載置棚９５ａをタンク装着部９５とは反対側へ向けて延設し、該タンク載置棚９５ａの延設端を流路装着部９６の上端部へ接続している（図８参照）。さらに、流路装着部９６の側面に縦長な機構盤ヒンジ部９７を配置し、該機構盤ヒンジ部９７を前面枠本体４の裏側に軸着して、裏機構盤３２を前面枠本体４（詳しくは遊技盤収納部２２）に対して前後方向へ開閉可能としている。言い換えると、裏機構盤３２の軸着側に流路装着部９６を備えている。そして、タンク装着部９５の左右両側方にはブロック状のタンク止着部９８を設け、該タンク止着部９８の間に球貯留タンク９１の一部（具体的には裏機構盤３２の閉状態における球貯留タンク９１の前側部）を挿入し、この状態でタンク装着部９５の裏面側に球貯留タンク９１を装着するように構成されている。なお、動作規制機構３４側（図６（ｂ）中、左側）に配置されたタンク止着部９８には、動作規制機構３４に係合可能な係合突起９９を側方（左側方）へ向けて突設し、流路装着部９６側（図８中、左側）のタンク止着部９８には止着ボス１００をタンク装着部９５とは反対側へ向けて突設している（図８参照）。また、機構盤ヒンジ部９７は、金属板等の導電性部材を屈曲して形成されており、該機構盤ヒンジ部９７の上部には、導電性を有する縦長なヒンジ延設部９７ａを機構盤ヒンジ部９７に導通した状態で延設し、該ヒンジ延設部９７ａには止着ボス１００を嵌合するヒンジ側嵌合穴９７ｂを開設している。
【００２７】
さらに、流路装着部９６の表面（言い換えると遊技盤収納部２２に対向し得る面）には、遊技盤５の一側を支持可能な機構盤側支持部１０２を後方の流下案内路９２側（球排出装置９３側）へ凹ませた状態で配置し、流路装着部９６の裏面には、流下案内路９２と球排出装置９３とを上下に連結した状態で装着している。そして、機構盤側支持部１０２の下端部には、遊技盤５の下縁部へ下方から当接（支持）可能な支持当接部１０３を設け、機構盤側支持部１０２の側部には、遊技盤５の側部へ側方から当接可能な側方当接部１０４を設け、支持当接部１０３および側方当接部１０４を流下案内路９２とは反対側（言い換えると遊技盤収納部２２側）へ延設している。なお、機構盤側支持部１０２は、裏機構盤３２を閉じた状態で遊技盤収納部２２内に位置するように設定されている。さらに、支持当接部１０３は、裏機構盤３２を閉じた状態で載置部２３の横に並んで載置部２３と同一平面上に位置するように設定されている。
【００２８】
球貯留タンク９１は、裏機構盤３２の上部に位置する横長な箱状の部材であり、上面を開放して遊技球を上方の球補給樋１０６（図５参照）から受入可能とし、底部を流路装着部９６側（図６（ａ）中、左側）へ向けて下り傾斜させている。また、裏機構盤３２を閉じた状態で球貯留タンク９１の後側に位置する第１貯留部１０７と、該第１貯留部１０７に連通し、第１貯留部１０７よりもタンク装着部９５側に形成された第２貯留部１０８とを備え、第１貯留部１０７を第２貯留部１０８よりも深く設定している。さらに、第１貯留部１０７の外側面のうち、第１貯留部１０７の底面と第２貯留部１０８の底面との間に形成された外側面を遊技盤５の裏面側へ当接可能とし、この外側面をタンク側押圧部１０９として機能させて遊技盤５を裏面側から押圧できるように構成されている。なお、タンク側押圧部１０９の作用については、後で詳細に説明する。
【００２９】
そして、第１貯留部１０７の底部の傾斜下端には、遊技球が通過可能となるタンク排出路１１１を縦向きに形成し、該タンク排出路１１１の下端に流下案内路９２の上流端を連通し、球貯留タンク９１内の遊技球をタンク排出路１１１から流下させて流下案内路９２へ供給するように構成されている。また、球貯留タンク９１の長手方向の両端部（図６（ａ）中、左右両端部）には止着片１１２を外方へ向けて突設し、該止着片１１２をビスなどの止着部材（図示せず）によりタンク止着部９８へ止着して球貯留タンク９１をタンク装着部９５に固定している。
【００３０】
流下案内路９２は、遊技球を流下可能な縦向き流路であり、当該流下案内路９２の上流端をタンク排出路１１１の下端へ接続し、当該流下案内路９２の上流部には、１回の排出動作で排出される個数の遊技球を裏機構盤３２内（具体的には流下案内路９２内および球排出装置９３内）に貯留しているか否かを検出する半端センサ１１５を設けている。また、流下案内路９２のうち半端センサ１１５の下方を分岐し、分岐した一方の流路（賞球案内路１１６）の下端を球排出装置９３の球導入口（図示せず）へ接続し、他方の流路（球抜き案内路１１７）を球排出装置９３と機構盤側支持部１０２との間を通して流路装着部９６の下端に下流端を開放し、該下流端が裏機構盤３２を閉じた状態で球抜き排出路３７の上流端に連通するように構成されている。なお、流下案内路９２の分岐部には、遊技球の流下先を賞球案内路１１６あるいは球抜き案内路１１７に切り換えるための切換操作部１１８を備えている。また、球抜き案内路１１７の機構盤側支持部１０２側をタンク側押圧部１０９と同一平面上に設定している。
【００３１】
球排出装置９３は、その内部に、遊技球を流下可能な遊技球流路を縦向きに形成し、該遊技球流路７７の上流端を当該球排出装置９３の上部に開放して球導入口とし、遊技球流路７７の上下方向の途中にスプロケットあるいは流下規制弁等の球送り部材を臨ませ（いずれも図示せず）、球送り部材の駆動を制御して排出動作を行い、予め設定された個数の遊技球を排出（流下）できるように構成されている。さらに、球排出装置９３の下端に遊技球流路の下流端を開放し、該下流端の下方に縦長な球連通路１１９を設け、裏機構盤３２を閉じた状態で球連通路１１９により球排出装置９３の遊技球流路と賞球排出路３６の上流端とを連通するように構成されている。
【００３２】
また、タンク装着部９５の裏面側には、タンク装着部９５を補強する横長な補強部材１２２を設け、該補強部材１２２がタンク装着部９５と球貯留タンク９１との間に配置されるように設定されている。補強部材１２２は、金属板等の導電性部材により構成されており、図６および図８に示すように、当該補強部材１２２の長手方向の両端部には、球貯留タンク９１とタンク止着部９８との間に配置される側方補強部１２３をタンク装着部９５とは反対方向へ延設している。また、側方補強部１２３の延設端を側方へ屈曲して屈曲部１２４を形成し、該屈曲部１２４をタンク止着部９８と止着片１１２との間に挟持し、動作規制機構３４側（図８中、右側）の屈曲部１２４には、その下部を前面枠本体４側（前方）へ屈曲して装着側押圧部１２５を形成している。さらに、装着側押圧部１２５と機構盤側支持部１０２の支持当接部１０３との上下方向の間隔を遊技盤５の縦方向の長さ（高さ）に等しく設定して、装着側押圧部１２５が機構盤側支持部１０２に支持された遊技盤５の上縁部に当接するように構成されている。なお、流路装着部９６側の屈曲部１２４には、止着ボス１００を嵌合可能な屈曲側嵌合穴１２４ａを開設している（図８参照）。また、補強部材１２２は、一枚の金属板（導電性部材）を屈曲して側方補強部１２３、屈曲部１２４、装着側押圧部１２５を一体成形している。
【００３３】
そして、裏機構盤３２は、図７に示すように、球貯留タンク９１の内部に補強部材１２２の一部（詳しくは側方補強部１２３の一部）を臨ませている。具体的に説明すると、球貯留タンク９１のうち流路装着部９６側（図７中、左側）の側壁には、遊技球よりも十分に大きな矩形状の開口部１２８を開設し、球貯留タンク９１のうち開口部１２８の直下に位置する箇所およびタンク装着部９５側に位置する箇所を切り欠いて、開口部１２８を下方およびタンク装着部９５側の方向へ向けて開放している。また、流路装着部９６側（図７中、左側）の側方補強部１２３、言い換えると補強部材１２２のうち開口部１２８に臨む箇所には、側方補強部１２３の下縁部を球貯留タンク９１側（図８中、右側）へ折り返して矩形状の突出部１２９を球貯留タンク９１の内部へ向けて突設している。突出部１２９は、図８に示すように、開口部１２８に嵌合可能な大きさ、言い換えると開口部１２８を閉塞可能な大きさに設定されており、当該突出部１２９の上縁部をタンク装着部９５へ向けて延設し、該上縁部に開口部１２８の上縁部を載置できるように構成されている。
【００３４】
このような構成を備えた裏機構盤３２において補強部材１２２および球貯留タンク９１を装着するには、まず、タンク装着部９５の裏面側に補強部材１２２を重合する。さらに、タンク止着部９８の内側面（タンク装着部９５側に臨ませた側面）に側方補強部１２３を重合し、タンク止着部９８の先端面（タンク装着部９５とは反対側に位置する面）に屈曲部１２４を重合し、屈曲側嵌合穴１２４ａに止着ボス１００を嵌合する。タンク装着部９５に補強部材１２２を取り付けたならば、流路装着部９６の側面に機構盤ヒンジ部９７を止着するとともに、ヒンジ延設部９７ａを流路装着部９６側の屈曲部１２４へ重合し、この状態でヒンジ側嵌合穴９７ｂに止着ボス１００を嵌合する。さらに、ビス等の止着部材（図示せず）を用いて、補強部材１２２の長手方向の中央部をタンク装着部９５の中央部へ止着し、流路装着部９６側の屈曲部１２４およびヒンジ延設部９７ａを流路装着部９６側のタンク止着部９８へ止着し、動作規制機構３４側の屈曲部１２４を動作規制機構３４側のタンク止着部９８へ止着する（図８および図９参照）。すると、機構盤ヒンジ部９７が突出部１２９の下方に位置し、この状態で機構盤ヒンジ部９７と補強部材１２２の突出部１２９とがヒンジ延設部９７ａ、屈曲部１２４、側方補強部１２３を介して連結する。この結果、機構盤ヒンジ部９７により突出部１２９を支持することができる。さらに、突出部１２９と機構盤ヒンジ部９７とが導通する。
【００３５】
補強部材１２２および機構盤ヒンジ部９７を機構ベース部９０（タンク装着部９５、流路装着部９６）へ止着したならば、球貯留タンク９１を第２貯留部１０８がタンク装着部９５側へ向いた姿勢に設定し、この姿勢でタンク装着部９５へ裏側から近づける。すると、第２貯留部１０８がタンク載置棚９５ａへ当接するとともに、開口部１２８の上縁部が突出部１２９の上縁部へ当接する。また、両側の側方補強部１２３の間に第２貯留部１０８が挿入され、球貯留タンク９１の側壁が側方補強部１２３へ当接する。この状態で球貯留タンク９１をタンク装着部９５側へ押圧すると、球貯留タンク９１は、タンク載置棚９５ａに第２貯留部１０８の下面を摺動し、突出部１２９の上縁部に開口部１２８の上縁部を摺動し、さらには側方補強部１２３に当該球貯留タンク９１の側壁を摺動する。これにより、側方補強部１２３およびタンク止着部９８の延設方向に沿って移動する。したがって、裏機構盤３２は、球貯留タンク９１をタンク装着部９５へ装着するガイドとして補強部材１２２の一部（側方補強部１２３の一部）を利用することができる。
【００３６】
引き続き球貯留タンク９１をタンク装着部９５側へ押圧し、球貯留タンク９１がタンク装着部９５の裏面に当接したならば、流路装着部９６側の止着片１１２を止着ボス１００へ止着し、動作規制機構３４側の止着片１１２を動作規制機構３４側のタンク止着部９８および屈曲部１２４へ止着する。この結果、裏機構盤３２は、図６および図７に示すように、タンク装着部９５に球貯留タンク９１を装着する。また、突出部１２９を開口部１２８へ嵌合して球貯留タンク９１の内部に臨ませ、突出部１２９の上縁部に開口部１２８の上縁部を載置する。
【００３７】
そして、パチンコ遊技機１に遊技盤５を取り付けるには、前面枠３を外枠２に対して開いて前面枠３（前面枠本体４）の裏面側を露出し、係止部材２６を横向きに回動して遊技盤収納部２２の後方から外す。さらに、動作規制機構３４を操作して係合突起９９との係合を解除し、この状態で裏機構盤３２を前面枠本体４に対して開き、遊技盤収納部２２の裏機構盤３２側を開放するとともに裏機構盤３２の機構盤側支持部１０２を露出する。裏機構盤３２を開状態へ変換したならば、遊技盤５の姿勢を調整して遊技領域６側（表側）を前方へ向けた状態とし、この姿勢で遊技盤５を載置部２３へ載置して遊技盤収納部２２へ収納し、係止部材２６を縦向きに回動して遊技盤５の裏面に係止する。すると、遊技盤５は、前方への移動を位置規制部２５により規制され、後方への移動を係止部材２６により規制される。さらに、側方への移動、詳しくは裏機構盤３２の軸着側から離れる方向への移動を収納壁２４により規制される。遊技盤収納部２２に遊技盤５を収納したならば、裏機構盤３２を回動して開状態から閉状態へ変換し、動作規制機構３４により裏機構盤３２を閉状態に維持する。
【００３８】
また、閉状態の裏機構盤３２は、タンク装着部９５を遊技盤収納部２２の上方に位置させ、タンク側押圧部１０９を遊技盤５の裏面の上部へ当接して遊技盤５を裏面側から前方へ押圧するとともに、装着側押圧部１２５を遊技盤５の上縁部へ当接して下方へ押圧する。さらに、遊技盤５のうち裏機構盤３２の軸着側（図５中、左側）に機構盤側支持部１０２を後方から被覆して嵌合し、支持当接部１０３により遊技盤５の下端を支持するとともに、側方当接部１０４を遊技盤５の側方に配置する。この結果、遊技盤５は、後方への移動をタンク側押圧部１０９、流路装着部９６、係止部材２６により規制され、左右方向への移動を側方当接部１０４および収納壁２４により規制され、上下方向への移動を装着側押圧部１２５、載置部２３、支持当接部１０３により規制される。したがって、裏機構盤３２を閉じると、遊技盤収納部２２における遊技盤５の収納状態を維持することができる。これにより、裏機構盤３２を閉状態へ変換する動作と、遊技盤５の収納状態を維持する動作とを併せて行うことができ、パチンコ遊技機１の組立作業や機種交換作業をさらに効率よく行うことができる。
【００３９】
そして、裏機構盤３２を閉じた閉状態では、図１０（ａ）に示すように、タンク装着部９５が遊技盤５よりも前方に位置し、第２貯留部１０８が遊技盤５の上方に位置し、第１貯留部１０７が遊技盤５よりも後方に位置する。したがって、遊技盤５の後方だけではなく上方にも遊技球を貯留することができ、球貯留タンク９１における遊技球の貯留量の増大を図ることができる。また、遊技盤５の周辺の限られた空間を有効に活用することができる。
【００４０】
さらに、裏機構盤３２は、図１０（ｂ）に示すように、当該裏機構盤３２の自重をタンク装着部９５、補強部材１２２、屈曲部１２４を通じて装着側押圧部１２５へ伝達して、該装着側押圧部１２５により遊技盤５を下方へ押圧する。また、球貯留タンク９１に遊技球を貯留すれば、裏機構盤３２の自重だけではなく遊技球の重さをも押圧力として利用して、遊技盤５を下方の載置部２３へ押圧する。したがって、遊技盤収納部２２に収納された遊技盤５を安定させることができる。これにより、パチンコ遊技機１毎に遊技盤５の収納位置（詳しくは発射流路４４の位置）が発射装置１６に対してバラつく不具合を抑制することができ、遊技球の所謂ムラ飛びを抑えることができる。さらに、装着側押圧部１２５によりタンク装着部９５を下方から支持することができ、裏機構盤３２の自重や球貯留タンク９１内の遊技球の重量で裏機構盤３２が撓む不都合を抑えることができる。
【００４１】
また、機構盤ヒンジ部９７により突出部１２９を支持し、突出部１２９の上縁部に開口部１２８の上縁部を載置しているので、球貯留タンク９１に貯留された遊技球の重量を、突出部１２９および補強部材１２２（側方補強部１２３、屈曲部１２４）を介して機構盤ヒンジ部９７で支持することができる。さらに、球貯留タンク９１に貯留された遊技球は、開口部１２８を介して突出部１２９へ当接し、補強部材１２２（詳しくは側方補強部１２３、屈曲部１２４）および機構盤ヒンジ部９７に導通する。この結果、球貯留タンク９１内の遊技球に帯電した静電気を、補強部材１２２（詳しくは突出部１２９、側方補強部１２３、屈曲部１２４）および機構盤ヒンジ部９７へ通して遊技球から除去することができる。したがって、遊技球に帯電した静電気を除去する構成を補強部材１２２とは別個に備える必要がなく、遊技球の静電気を除去可能なパチンコ遊技機１の構成部品数が多くなることを抑制することができる。なお、遊技球から除去された静電気は、補強部材１２２および機構盤ヒンジ部９７へ分散し、補強部材１２２および機構盤ヒンジ部９７から大気中へ放電される。
【００４２】
そして、遊技盤５を取り外すには、動作規制機構３４を操作して係合突起９９との係合を解除し、この状態で裏機構盤３２を後方へ回動する。すると、裏機構盤３２が開状態へ変換し、タンク側押圧部１０９、装着側押圧部１２５、流路装着部９６、側方当接部１０４、支持当接部１０３が遊技盤５から外れる。そして、係止部材２６を横向きに回動して遊技盤５の後方から外せば、遊技盤５を後方へ取り出すことができる。
【００４３】
ところで、上記実施形態では、側方補強部１２３の下部を折り返して突出部１２９を形成したが、本発明はこれに限定されない。突出部は、球貯留タンク９１の内部へ向けて突出すればよく、例えば、側方補強部１２３のうち開口部１２８に臨ませた箇所を球貯留タンク９１側へ膨出して突出部を形成してもよい。また、球貯留タンク９１の開口部１２８を設ける箇所は、球貯留タンク９１内の遊技球が補強部材１２２や側方補強部１２３に当接可能（導通可能）となる箇所であればどこでもよい。さらに、補強部材１２２あるいは機構盤ヒンジ部９７をグランドに接続すれば、静電気を補強部材１２２や機構盤ヒンジ部９７から迅速に除去することができるので好適である。
【００４４】
そして、上記実施形態では、装着側押圧部１２５を、タンク装着部９５に設けられた補強部材１２２の一部を延出して装着側押圧部１２５を形成したが、本発明はこれに限定されない。例えば、タンク装着部９５の一部を延出して装着側押圧部を形成してもよい。また、タンク側押圧部１０９を球貯留タンク９１の下部に備えて、タンク側押圧部１０９により遊技盤５の裏面の上部を押圧するように構成したが、本発明はこれに限定されない。要は、裏機構盤３２の閉状態で遊技盤５の裏面を押圧できれば、タンク側押圧部１０９は、どのような構成であってもよい。さらに、遊技盤収納部２２は、遊技盤５を前面枠本体４の裏面側から収納するように構成されたが、本発明はこれに限定されない。要は、遊技盤収納部２２に収納された状態で遊技盤５を装着側押圧部１２５で載置部２３側へ押圧できればよく、例えば、前面枠本体４の側方から収納するように構成してもよいし、前方から収納するように構成してもよい。
【００４５】
上記した実施形態は、代表的な遊技機であるパチンコ遊技機を例に挙げて説明したが、本発明はこれに限らず、前面枠と、該前面枠の裏面側に開閉可能な状態で軸着された裏機構盤とを備えた遊技機であればどのようなものでもよい。例えば、アレンジボール式遊技機、雀球式遊技機等の遊技機であってもよい。
【００４６】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４７】
【図１】パチンコ遊技機の斜視図である。
【図２】外側開閉枠を開いた状態のパチンコ遊技機の斜視図である。
【図３】外側開閉枠および内側開閉枠を開いた状態のパチンコ遊技機の斜視図である。
【図４】内側開閉枠を開いた状態のパチンコ遊技機の断面図である。
【図５】パチンコ遊技機の背面図である。
【図６】（ａ）は裏機構盤の後方から見た斜視図、（ｂ）は前方から見た斜視図である。
【図７】タンク装着部に装着された球貯留タンクの斜視図である。
【図８】機構ベース部、機構盤ヒンジ部、補強部材の分解斜視図である。
【図９】機構ベース部に球貯留タンク部を取り付ける前の分解斜視図である。
【図１０】（ａ）は裏機構盤の閉状態における球貯留タンクの位置を説明する部分断面図、（ｂ）は裏機構盤を閉状態とし、球貯留タンクに遊技球を貯留した状態の説明図である。
【符号の説明】
【００４８】
１  パチンコ遊技機
３  前面枠
４  前面枠本体
５  遊技盤
８  画像表示装置
９  内側開閉枠
９ａ  内側自由端部
１０  外側開閉枠
１０ａ  外側自由端部
１３  球貯留ユニット
２２  遊技盤収納部
２３  載置部
２４  収納壁
２５  位置規制部
２６  係止部材
３２  裏機構盤
３４  動作規制機構
４７  アウト口
５７  表示部
６３  内側ヒンジ機構
６４  球誘導部
６７  開閉枠本体
７５  外側ヒンジ機構
９０  機構ベース部
９１  球貯留タンク
９５  タンク装着部
９６  流路装着部
９７  機構盤ヒンジ部
９８  タンク止着部
９９  係合突起
１０２  機構盤側支持部
１０３  支持当接部
１０４  側方当接部
１０６  球補給樋
１０７  第１貯留部
１０８  第２貯留部
１０９  タンク側押圧部
１２２  補強部材
１２３  側方補強部
１２４  屈曲部
１２５  装着側押圧部
１２８  開口部
１２９  突出部
【図１】
2008278988.tif 000003
【図２】
2008278988.tif 000004
【図３】
2008278988.tif 000005
【図４】
2008278988.tif 000006
【図５】
2008278988.tif 000007
【図６】
2008278988.tif 000008
【図７】
2008278988.tif 000009
【図８】
2008278988.tif 000010
【図９】
2008278988.tif 000011
【図１０】
2008278988.tif 000012